(57)【要約】【課題】局所排気の運転時に用いられる給気経路において、室内の快適性を維持することのできる給気経路の制御方法と建物の給気構造を提供することを目的とする。【解決手段】開き戸２を開ける一連の動作において、少なくとも開き戸２を開放する加重動作を開始する前に給気口３の給気経路を制御し、屋外空気を室内へ導入することにより、開き戸２を開放する要求があるとき以外は給気口３が給気経路として機能しないため、給気口３から流入する屋外空気を最小限とすることとなり、室内の快適性を損なうことなく室内の快適性を維持することができる。【選択図】図２
2010243029.tif 000002
【特許請求の範囲】
【請求項１】
扉を開ける一連の動作において、少なくとも前記扉を開放するための加重動作を開始する以前から給気導入をおこなう給気経路の制御方法。
【請求項２】
前記加重動作の直前におこなわれる動作を検知し、給気経路における給気導入をおこなう請求項１記載の給気経路の制御方法。
【請求項３】
前記扉に対する接触を検知する請求項２記載の給気経路の制御方法。
【請求項４】
前記扉の取っ手に与える動作を検知する請求項２記載の給気経路の制御方法。
【請求項５】
前記扉に人が近接したことを検知する請求項２記載の給気経路の制御方法。
【請求項６】
給気導入の開始後に、前記扉が開放されるとともに給気導入を終了することを特徴とする請求項２〜５のいずれかに記載の給気経路の制御方法。
【請求項７】
給気導入の開始後に、一定時間経過後に給気導入を終了することを特徴とする請求項２〜６のいずれかに記載の給気経路の制御方法。
【請求項８】
屋外と室内とを連通する給気口と、手動で開閉がおこなえる扉とが備えられた建物において、前記給気口には風路を開閉できる風路遮蔽手段があり、前記扉には人が施す動作を検知する検知手段があり、前記検知手段からの検知信号に基づいて前記風路遮蔽手段を動作させることを特徴とする建物の給気構造。
【請求項９】
屋外と室内とを連通する給気口と、手動で開閉がおこなえる扉とが備えられた建物において、前記給気口には風路を開閉できる風路遮蔽手段と、前記扉に近接した人を検知する検知手段とがあり、前記検知手段からの検知信号に基づいて前記風路遮蔽手段を動作させることを特徴とする建物の給気構造。
【請求項１０】
前記検知手段を前記給気口と一体化したことを特徴とする請求項８または９に記載の建物の給気構造。
【請求項１１】
前記検知手段として、使用者が触れたことを検知するタッチセンサを備えたことを特徴とする請求項８記載の建物の給気構造。
【請求項１２】
前記検知手段として、使用者が取っ手を回転させたことを検知するトルクセンサを備えたことを特徴とする請求項８に記載の建物の給気構造。
【請求項１３】
前記検知手段として、前記扉のラッチ錠が解除されたことを検知するスイッチ手段を備えたことを特徴とする請求項８に記載の建物の給気構造。
【請求項１４】
前記検知手段として、人感センサを備えたことを特徴とする請求項９に記載の建物の給気構造。
【請求項１５】
前記扉を屋外と室内との隔壁に備えたことを特徴とする請求項８〜１４のいずれかに記載の建物の給気構造。
【請求項１６】
前記給気口を前記扉と同一方位に備えたことを特徴とする請求項１５に記載の建物の給気構造。
【請求項１７】
前記給気口を前記扉の内部に一体的に備えたことを特徴とする請求項１６記載の建物の給気構造。
【発明の詳細な説明】
【技術分野】
【０００１】
本発明は、主に建物における排気用換気装置の運転時に使用される給気装置に関するものである。
【背景技術】
【０００２】
一般的に住宅における厨房や浴室などには、室内で発生した汚染空気を屋外へ排出する目的として局所排気型の換気設備が備えられている。しかし、コンクリート造の集合住宅や省エネルギー化を図った住宅では建物の隙間が極めて少なくなっており、排気型の換気設備を稼動させた場合に室内が過度の負圧となることがある。
【０００３】
室内が負圧となった場合の居住者への具体的な影響としては、玄関などの扉を開くことがし辛くなるといったことがあり、特に子供や高齢者のように腕力の弱い者であれば扉を自力で開けられない場合もある。
【０００４】
この室内の負圧を解消するための手段として、換気設備の運転と停止に連動してシャッターが開閉する給気電動シャッターが知られている。
【０００５】
以下、従来の給気電動シャッターについて図７を参照しながら説明する。（例えば、特許文献１参照）。
【０００６】
通風路を形成する形状で壁部１０１に設けられる筐体１０２の内部の端部に筐体１０２の通風路を開閉する羽根１０３を設けた支持軸１０４を支持脚１０５で支持された軸受１０６の中心線方向に摺動自在に設け、前記支持軸１０４には、羽根１０３を閉止側に付勢するばね１０７を設け、通風路外に設けた駆動モータ１０８に連結した連結ワイヤー１０９の他端はプーリ１１０を介して支持軸１０４の端部に連結し、通風路の中央部には前記支持軸１０４および連結ワイヤー１０９を覆うケース１１１を設けていた。
【０００７】
そして、レンジフード等の換気設備（図示せず）と連動させ、換気設備の運転とともに駆動モータ１０８に通電されて駆動モータ１０８が運転されると、連結ワイヤー１０９が巻き込まれ支持軸１０４とともに羽根１０３が移動して筐体１０２の通風路が開放して室外の空気が給気される。
【０００８】
また、換気設備の運転停止時には、駆動モータ１０８に対する通電が遮断されて羽根１０３は、ばね１０７により元に復帰して筐体１０２の通風路が閉鎖されるものであった。
【先行技術文献】
【特許文献】
【０００９】
【特許文献１】実開平２−８５９３８号公報
【発明の概要】
【発明が解決しようとする課題】
【００１０】
このような従来の給気電動シャッターは、厨房の換気設備の運転とともに自然給気口を開放することにより室内負圧が解消される一方で、大量の屋外空気が給気電動シャッターを経由して室内へ導入されることとなる。すなわち、給気電動シャッターが備えられた部屋では大量かつ局所的に屋外空気が導入され、特に冬季の暖房時にはコールドドラフトなどといったように室内の快適性を著しく損なうという課題を有していた。
【００１１】
そこで本発明は、上記従来の課題を解決するものであり、室内の負圧により生じる課題である扉を開くことがし辛くなることに対し、扉を操作する時のみ給気電動シャッターを開放させることで室内の負圧を解消する。また、扉を操作しない時は給気電動シャッターを閉鎖させることで、サッシュの隙間や各居室に備えられた常時換気用の自然給気口を経由して複数の部屋から満遍なく給気がなされるため、部屋の快適性を損なうことなく室内の快適性を維持することのできる給気経路の制御方法と建物の給気構造を提供することを目的としている。
【課題を解決するための手段】
【００１２】
そして、この目的を達成するために、本発明は、扉を開ける一連の動作において、少なくとも前記扉を開放するための加重動作を開始する以前から給気導入をおこなうものであり、これにより所期の目的を達成するものである。
【００１３】
また、本発明は、屋外と室内とを連通する給気口と、手動で開閉がおこなえる扉とが備えられた建物において、前記給気口には風路を開閉できる風路遮蔽手段があり、前記扉には人が施す動作を検知する検知手段があり、前記検知手段からの検知信号に基づいて前記風路遮蔽手段を動作させるものであり、これにより所期の目的を達成するものである。
【発明の効果】
【００１４】
本発明によれば、扉を開ける一連の動作において、少なくとも扉を開放するための加重動作を開始する以前から給気導入をおこなう構成としたことにより、扉を開放する要求があるとき以外は給気導入を行なわないので、給気導入に伴うコールドドラフトなどといったような、部屋の快適性を損なうことなく室内の快適性を維持することのできる給気経路の制御方法を提供することができる。
【００１５】
また、本発明によれば、給気口には風路を開閉できる風路遮蔽手段があり、扉には人が施す動作を検知する検知手段があり、検知手段からの検知信号に基づいて風路遮蔽手段を動作させる構成にしたことにより、室内と屋外との間に差圧が発生していない場合には給気口から給気がなされないため、室内の快適性を損なうことなく室内の快適性を維持できる建物の給気構造を提供することができる。
【図面の簡単な説明】
【００１６】
【図１】（ａ）本発明の実施の形態１における建物の給気構造を示す開き戸が閉鎖状態の外観図、（ｂ）同建物の給気構造を示す開き戸が開放状態の外観図
【図２】同建物の給気構造の断面図
【図３】同建物の給気構造の制御動作によるタイムチャート
【図４】本発明の実施の形態２における建物の給気構造の断面図
【図５】本発明の実施の形態３における建物の給気構造の断面図
【図６】本発明の実施の形態４における建物の給気構造の外観図
【図７】従来の建物の給気構造の断面図
【発明を実施するための形態】
【００１７】
本発明の請求項１記載の発明は、扉を開ける一連の動作において、少なくとも扉を開放するための加重動作を開始する以前から給気導入をおこなう給気経路の制御方法であり、扉を開放する要求があるとき以外は給気経路が機能しないため、給気経路から流入する屋外空気を最小限とすることができ、室内の快適性を損なうことなく室内の快適性を維持できるという効果を奏する。
【００１８】
本発明の請求項２記載の発明は、加重動作の直前におこなわれる動作を検知し、給気経路における給気導入をおこなうものであり、扉に空気圧が加わっている場合でも給気導入をおこなうことで差圧を解消した後に加重動作を開始することとなるので、加重動作に要する力が小さくて済むといった効果を奏する。
【００１９】
本発明の請求項３記載の発明は、扉に対する接触を検知するものであり、扉の開放における必然動作である扉への接触を検知することにより、確実に加重動作の直前におこなわれる動作を検知する事ができる。
【００２０】
本発明の請求項４記載の発明は、扉の取っ手に与える動作を検知するものであり、さらに確実に加重動作の直前におこなわれる動作を検知することができる。
【００２１】
本発明の請求項５記載の発明は、扉に人が近接したことを検知するものであり、扉に施される動作を検知しないので、扉の構造を変更することなく加重動作の直前におこなわれる動作を検知することができる。
【００２２】
本発明の請求項６記載の発明は、給気導入の開始後に、扉が開放されるとともに給気導入を終了するものであり、必要最小限の期間のみ給気導入を行なうこととなり、給気導入に要するエネルギーを削減することができる。
【００２３】
本発明の請求項７記載の発明は、給気導入の開始後に、一定時間経過後に給気導入を終了するものであり、扉の開放動作がおこなわれなかった場合においても自動的に給気導入が終了し、給気導入に要するエネルギーをさらに削減することができる。
【００２４】
本発明の請求項８記載の発明は、屋外と室内とを連通する給気口と、手動で開閉がおこなえる扉とが備えられた建物において、給気口には風路を開閉できる風路遮蔽手段があり、扉には人が施す動作を検知する検知手段があり、検知手段からの検知信号に基づいて風路遮蔽手段を動作させるものであり、室内と屋外との間に差圧が発生していない場合には給気口から給気がなされないため、室内の快適性を損なうことなく室内の快適性を維持できるという効果を奏する。
【００２５】
本発明の請求項９記載の発明は、屋外と室内とを連通する給気口と、手動で開閉がおこなえる扉とが備えられた建物において、給気口には風路を開閉できる風路遮蔽手段と、扉に近接した人を検知する検知手段とがあり、検知手段からの検知信号に基づいて風路遮蔽手段を動作させるものであり、既存の扉に対して追加的に給気口を設置することができる。
【００２６】
本発明の請求項１０記載の発明は、検知手段を給気口と一体化したものであり、給気口本体にセンサを備えることにより扉と給気口の配線が不要となり、本体コストを削減することが可能となる。
【００２７】
本発明の請求項１１記載の発明は、検知手段として、使用者が触れたことを検知するタッチセンサを備えたものであり、扉全体を検知部位とすることにより接触検知の感度を向上することができる。
【００２８】
本発明の請求項１２記載の発明は、検知手段として、使用者が取っ手を回転させたことを検知するトルクセンサを備えたものであり、手袋や衣類など間接的に扉の開放動作を実施した場合でも確実に加重動作の直前におこなわれる動作を検知することができる。
【００２９】
本発明の請求項１３記載の発明は、検知手段として、扉のラッチ錠が解除されたことを検知するスイッチ手段を備えたものであり、扉の外枠に検知部を設けることにより検知部と給気口との配線施工が簡易化できる。
【００３０】
本発明の請求項１４記載の発明は、検知手段として、人感センサを備えたものであり、照明などのスイッチと共用することにより、設置コストを削減することが可能となる。
【００３１】
本発明の請求項１５記載の発明は、扉を屋外と室内との隔壁に備えたものであり、より効果的に差圧を解消できるといった効果を奏する。
【００３２】
本発明の請求項１６記載の発明は、給気口を扉と同一方位に備えたものであり、外風に基づく差圧の解消に対してより高い効果を奏する。
【００３３】
本発明の請求項１７記載の発明は、給気口を扉の内部に一体的に備えたものであり、施工性が向上するといった効果を奏する。
【００３４】
以下本発明の実施の形態について、図１〜図６を参照しながら説明する。
【００３５】
（実施の形態１）
図１は本発明の実施の形態１における建物の給気構造を示しており、図１（ａ）は開き戸が閉鎖状態の外観図、図１（ｂ）は開き戸が開放状態の外観図である。また、図２は本発明の実施の形態１における建物の給気構造の断面図である。
【００３６】
図１および図２において、建物の室内と屋外との隔壁である外壁１には人が出入りする為の扉としての開き戸２と、屋外の空気を室内へ導入する為の給気経路としての給気口３が取り付けられている。
【００３７】
上記構成において、室内と室内との隔壁である内壁（図示せず）よりも、室内と屋外との隔壁である外壁１の方が、隙間が相対的に少ないことが一般的に知られている。また、通気量が同一の場合は、隙間が少ない壁で差圧が大きくなるので、より効果的に差圧を解消することができる。
【００３８】
また、給気口３を開き戸２と同一方位に備えたものであり、屋外風が強い場合においても開き戸２に対する差圧の解消を行なうことができる。
【００３９】
開き戸２は、外壁１に対してたて枠の片側をヒンジ４によって垂直方向の軸を中心に開閉可能なように固定されており、さらに、ヒンジ４が備えられていない側のたて枠にラッチ錠５が備えられており、開き戸２が閉鎖されている場合に不用意に開かないようになっている。
【００４０】
また、図２に示すように、開き戸２には屋外と室内とのどちらにも取っ手６が備えられ、屋外と室内とのどちらからも開閉操作がおこなえるように同軸の回転軸（Ｘ−Ｘ´）で連結され、いずれかの取っ手６に回転加重を加えることで、ラッチ錠５が解除される構成となっている。
【００４１】
すなわち、使用者が取っ手６に回転加重を加えるとともに、開き戸２に対してヒンジ４が軸中心となる開閉方向に力を加える加重動作をおこなうことにより、開き戸２を任意に開閉できる構成となっている。
【００４２】
給気口３は、屋外と室内を連通する通風路１０が備えられ、通風路１０には通電することにより通風路１０を開閉することのできる風路遮蔽手段１１が備えられている。風路遮蔽手段１１はシャッター１２と電動アクチュエータ１３と制御手段１４とから構成されており、電動アクチュエータ１３に対し制御手段１４から通電制御が行なわれシャッター１２の開閉を実施する。
【００４３】
続いて、開き戸２の内部構造について図２を用いて説明する。
【００４４】
開き戸２の内部にはタッチセンサ１５が備えられ、タッチセンサ１５の検知電極（図示せず）が取っ手６を含む開き戸２の全体の電位差が小さくなるように接続されており、人が取っ手６や開き戸２に触れたことを検知することができる。タッチセンサ１５としては、例えば検出電極と接地との間の静電容量変化を計測することにより、検知電極に人が触れたことを検知することができる。
【００４５】
タッチセンサ１５で得られた信号は、電気信号として給気口３の制御手段１４に伝送できるように、タッチセンサ１５の出力線は扉の外枠１６と接点ユニット１７を介して、給気口３の制御手段１４に信号線１８で電気的に接続されている。タッチセンサ１５は静電容量の変化を利用して検知を行なうため、取っ手６や開き戸２は導電性の物質である。
【００４６】
上記構成において、取っ手６を含めた開き戸２全体を検知部位となり、使用者が開き戸２のいずれかに触れたことを検知することができ、使用者の感覚に合った制御とすることができる。
【００４７】
続いて、本発明の動作について説明する。
【００４８】
使用者としての人が開き戸２のラッチ錠５を解除する為に取っ手６に触れると同時に、タッチセンサ１５から信号が給気口３の制御手段１４へ伝送され、電動アクチュエータ１３に通電がなされるとともに、給気口３の通風路１０に備えられているシャッター１２が開放することにより通風路１０を介して室内と屋外が連通される。
【００４９】
したがって、室内と屋外との間に圧力差が生じている場合であっても、使用者が開き戸２の開放動作を実施する直前にのみ室内と屋外との間の差圧を解消するための動作としてシャッター１２が開放されることとなる。
【００５０】
上記動作において、開き戸２に備えられたタッチセンサ１５からの検知信号に基づいて給気口３のシャッター１２を動作させることにより、開き戸２の開放における必然動作である開き戸２への接触を検知することとなり、確実に開き戸２に対する加重動作の直前におこなわれる動作を検知することができる。ここでいう加重動作とは、開き戸２に対してヒンジ４が軸中心となる開閉方向に力を加える動作を意味する。
【００５１】
図３は、本発明の実施の形態１における建物の給気構造の制御動作によるタイムチャートであり、時間経過に伴う室内外の差圧の変化を示している。
【００５２】
まず、レンジフードなどの換気扇の運転を開始（τａ）すると、内外差圧が上昇する。この時の室内外の差圧は排気風量と建物の気密性能によって異なるが、一般的なコンクリート造の集合住宅で厨房用の換気扇を稼動させた場合を想定すると例えば５０［Ｎ／ｍ２］（５０［Ｐａ］）である。
【００５３】
このような差圧が発生している場合に開き戸２に加わっている加重を試算すると、仮に開き戸２の面積を１．６［ｍ２］とすれば、  ５０［Ｎ／ｍ２］／９．８×１．６［ｍ２］＝８［ｋｇｆ］となる。さらに一般的な扉に設けられている開閉制御手段（ドアクローザー）に要する開き力を加味すると、この状態で開き戸を操作するには相当な腕力が必要となってくる。
【００５４】
次に、開き戸２を開けようとする使用者が取っ手６に触れた瞬間、給気口３のシャッター１２が開放されると（τｂ）、給気口３から外気が導入されることで室内外の差圧は瞬間的１０Ｐａ程度まで低下する。この状態で、開き戸２に加わっている加重は１０Ｐａ／９．８×１．６＝１．６ｋｇｆとなり、子供や高齢者であっても開き戸２を容易に開放操作をおこなうことができる。そして、開き戸２のラッチ錠５が解除され、開き戸２の開放操作をおこなう（τｃ）。
【００５５】
また、開き戸２の開放操作がおこなわれると、開き戸２の外枠１６に備えられている接点ユニット１７の接点が開放されることとなり、給気口３のシャッター１２への通電が解除され、給気口３のシャッター１２が閉鎖されることとなる。その後、開き戸２を使用者が通過し開き戸２が閉鎖されえると（τｄ）、再び内外差圧が上昇する。
【００５６】
一方、開き戸２の開放操作がおこなわれない場合は、一定時間（例えば１０秒程度）経過後に給気口３のシャッター１２を自動的に閉鎖させることとなり、開き戸２の開放動作がおこなわれなかった場合においても自動的に給気口３のシャッター１２の動作が終了し、給気導入に要するエネルギーを削減することができる。
【００５７】
このような給気経路の制御方法によれば、開き戸２を開ける一連の動作において、少なくとも開き戸２を開放する加重動作を開始する前に給気口３の給気経路を制御し、屋外空気を室内へ導入することにより、開き戸２を開放する要求があるとき以外は給気口３が給気経路として機能しないため、給気口３から流入する屋外空気を最小限とすることとなり、室内の快適性を損なうことなく室内の快適性を維持することができる。
【００５８】
また、加重動作の直前におこなわれる動作を検知し、給気経路における給気導入をおこなうものであり、扉に空気圧が加わっている場合でも給気導入をおこなうことで差圧を解消した後に加重動作を開始することとなるので、加重動作に要する力が小さくて済むといった効果がある。
【００５９】
また、給気導入の開始後に、開き戸２が開放されるとともに接点ユニット１７の接点が開放され、給気口３のシャッター１２への通電が解除し給気導入を終了することとなり、必要最小限の期間のみ給気導入を行なうこととなり、給気導入に要するエネルギーを削減することができる。
【００６０】
なお、実施の形態１において、給気口３は外壁１に取り付けられていたが、屋外に連通するダクトを介して天井に取り付けられるなど室内と屋外とを連通するように取り付けられればよく、その機能効果に差異は生じない。
【００６１】
（実施の形態２）
図４において、図２と同様の構成要素については同一の符号を付し、その詳細な説明は省略する。
【００６２】
図４は本発明の実施の形態２における建物の給気構造の断面図である。図４において給気口３は開き戸２の内部に一体的に備えられている。
【００６３】
取っ手６とラッチ錠５は機構的に接続されており、取っ手６の回転軸（Ｘ−Ｘ´）を中心とした回転加重を加えることによりラッチ錠５が解除される仕組みとなっている。また、回転軸（Ｘ−Ｘ´）の回転を検知するトルクセンサ２０が備えられ、トルクセンサ２０でラッチ錠５が解除される回転方向を検知することができる。
【００６４】
上記構成において、給気口３を開き戸２の内部に一体的に備えたものであり、施工性を向上させることができる。
【００６５】
続いて、本発明の動作について説明する。
【００６６】
トルクセンサ２０の出力部と給気口３の制御手段１４とは信号線２１で接続されており、開き戸２を開く為に取っ手６に対して回転加重を加えると、トルクセンサ２０からの信号が、信号線２１を介して給気口３の制御手段１４へ伝送される。
【００６７】
そして、電動アクチュエータ１３に通電がなされると、給気口３の通風路１０に備えられているシャッター１２が開放することにより通風路１０を介して室内と屋外が連通される。
【００６８】
また、給気口３やトルクセンサ２０に対する電源は、外枠１６に備えられた接点ユニット１７を介して供給される。この場合、開き戸２が開放するとともに電源供給が遮断され給気口３のシャッター１２が閉塞するが、開き戸２が開放された状態であるので特に問題は生じない。
【００６９】
したがって、室内と屋外との間に圧力差が生じている場合であっても、使用者が開き戸２の開放動作を実施する直前にのみ室内と屋外との間の差圧を解消するシャッター１２が開放されることとなる。
【００７０】
このような構成によれば、使用者が取っ手６を回転させたことを検知するトルクセンサ２０を備えたことにより、使用者が手袋や衣類などを介して間接的に開き戸２の開放動作を実施した場合でも確実に加重動作の直前におこなわれる動作を検知することができる。
【００７１】
（実施の形態３）
図５において、図２と同様の構成要素については同一の符号を付し、その詳細な説明は省略する。
【００７２】
図５は本発明の実施の形態３における建物の給気構造の断面図である。図５において外壁１には人が出入りする為の扉としての開き戸２と、屋外の空気を室内へ導入する為の給気経路としての給気口３とが同一外壁面に取り付けられている。また、開き戸２と給気口３とは制御や機構において特に連動は無いものである。
【００７３】
給気口３は、屋外と室内を連通する通風路１０が備えられ、通風路１０には通電することにより通風路１０を開閉することのできる電動シャッターが備えられている。電動シャッターはシャッター１２と電動アクチュエータ１３と制御手段１４とから構成されており、電動アクチュエータ１３に対し制御手段１４から通電制御が行なわれシャッター１２の開閉を実施する。
【００７４】
また、人感センサ２２が屋外と室内の両方に面するように備えられ、屋外および室内に近接した人を検知し、検知信号を制御手段１４に伝送し電動アクチュエータ１３に通電がなされるとともに、給気口３の通風路１０に備えられているシャッター１２が開放することにより通風路１０を介して室内と屋外が連通される。
【００７５】
上記構成によれば、扉としての開き戸２に人が近接したことを人感センサ２２において検知することとなり、人が扉に施される動作を検知しないので、扉としての開き戸２の構造を変更することなく加重動作の直前におこなわれる動作を検知することができる。
【００７６】
また、屋外と室内とを連通する給気口と、手動で開閉がおこなえる扉とが備えられた建物において、前記給気口には風路を開閉できる風路遮蔽手段と、前記扉に近接した人を検知する検知手段とがあり、前記検知手段からの検知信号に基づいて前記風路遮蔽手段を動作させるものであり、既存の扉に対して追加的に給気口を設置することができる。
【００７７】
また、検知手段を給気口と一体化したものであり、給気口本体にセンサを備えることにより扉と給気口の配線が不要となり、本体コストを削減することが可能となる。
【００７８】
また、検知手段として、人感センサを備えたものであり、照明などのスイッチと共用することにより、設置コストを削減することが可能となる。
【００７９】
（実施の形態４）
図６おいて、図１と同様の構成要素については同一の符号を付し、その詳細な説明は省略する。
【００８０】
図６本発明の実施の形態４おける建物の給気構造の外観図である。図６において開き戸２の外枠１６にラッチ錠５が解除されたことを検知するスイッチ手段２３が備えられ、給気口３の制御手段１４に接続されている。
【００８１】
上記構成において、検知手段として、開き戸２のラッチ錠５が解除されたことを検知するスイッチ手段２３を備えたものであり、開き戸２の外枠１６に給気口３を制御するためのスイッチ手段２３が設けられるので、設置を行なう場合に配線施工を簡易化することできる。
【産業上の利用可能性】
【００８２】
本発明にかかる給気経路の制御方法と建物の給気構造は、部屋の快適性を損なうことなく室内の快適性を維持することができるので、主に建物における排気用換気装置の運転時に使用される給気装置等として有用である。
【符号の説明】
【００８３】
２    開き戸
３    給気口
５    ラッチ錠
６    取っ手
１１  風路遮蔽手段
１５  タッチセンサ
２０  トルクセンサ
２２  人感センサ
２３  スイッチ手段
【図２】
2010243029.tif 000003
【図３】
2010243029.tif 000004
【図４】
2010243029.tif 000005
【図５】
2010243029.tif 000006
【図６】
2010243029.tif 000007
【図７】
2010243029.tif 000008
【図１】
2010243029.tif 000009